(57)【要約】【課題】  小石等の撥ね上げに対して安全で、かつ優れた切れ味を長期に亘って保持し得る刈払い機用回転刃を提供する。【解決手段】  刃部その刃先線ｐは、内径側から外径方向に向って回転方向ｒ後方になる、滑らかな凹状の曲線からなる。該鎌形状の刃先は、草木を押し当てつつ半径方向外側に摩り上げて、鎌のように切断する。刃先線先端Ａにおける刃先線接線ａと回転方向接線ｃとのなす角βが鈍角からなり、摩耗及び破損に対して強い形状からなる。【選択図】      図１
2005176746.tif 000002
【特許請求の範囲】
【請求項１】
回転刃本体に、内径方向に切欠かれる多数の凹みと、該凹みの回転方向後側に形成される多数の刃部とを形成してなる刈払い機用回転刃において、
前記刃部の刃先線は、内径側から外径側に向って回転方向後方になる、滑らかに連続する曲線からなり、
前記刃先線の外径側端における前記刃先線接線と回転方向接線とのなす角が鈍角からなる、
刈払い機用回転刃。
【請求項２】
前記刃先線は、回転方向に対して凹状となる鎌形状の曲線からなる、
請求項１記載の刈払い機用回転刃。
【請求項３】
前記刃先線は、少なくともその外径側が回転方向に対して凸状となる薙形状の曲線からなる、
請求項１記載の刈払い機用回転刃。
【請求項４】
前記刃部の刃先角が、８〜２３度の範囲である、
請求項１ないし３のいずれか記載の刈払い機用回転刃。
【発明の詳細な説明】
【技術分野】
【０００１】
本発明は、雑草又は灌木を刈払いする刈払い機に用いられる回転刃に係り、詳しくは、鋼材に刃付けをした回転刃に関する。
【背景技術】
【０００２】
一般に、刈払い機用回転刃は、丸鋸形状からなり、刃先が略々半径方向の垂直立上り線からなる刃部を有しており、刈払い機による３，０００〜１０，０００［ｒｐｍ］の回転数により用いられている。
【０００３】
また、刈払い機用回転刃として、台形状突部の両側に刃部を形成したものがあり、このものは、回転刃を裏返して用いることにより両側の刃部を使用して、長時間の使用を可能にしている。
【発明の開示】
【発明が解決しようとする課題】
【０００４】
上述した丸鋸形状からなる回転刃は、垂直なストレート刃を草木に対して略々直交する方向から打ち当て、草木をいわば叩き千切るように刈り払うものであって、刈払い機を上記高速で回転しないと、充分な切れ味を得ることができない。また、小石等が上記垂直なストレート刃に当ると、小石が作業者に向って飛んで来ることがあり、上記刈払い機の高速回転使用と相俟って、危険を伴うこともある。
【０００５】
更に、上記刃先の外径側端（先端ポイント）は、草木又は小石等に当って最も摩耗又は破損しやすいが、該垂直なストレート刃からなる刃部外径側端は、回転刃外周面に対して鋭角又は直角からなるため、上記摩耗又は破損に対して好ましい形状ではない。なお、上述した台形状突部からなる刃部は、その外径側端が回転刃外周面に対して鈍角からなり、上記摩耗又は破損に対して耐性を有する好ましい形状からなるが、刃部はストレート刃からなるため、上述したように、切れ味に関しては好ましい形状ではない。
【０００６】
そこで、本発明は、小石等の撥ね上げに対して安全で、かつ優れた切れ味を長期に亘って保持し得る刈払い機用回転刃を提供することを目的とするものである。
【課題を解決するための手段】
【０００７】
請求項１に係る本発明は、回転刃本体（２）に、内径方向に切欠かれる多数の凹み（Ｎ）と、該凹みの回転方向後側に形成される多数の刃部（３）とを形成してなる刈払い機用回転刃において、
前記刃部の刃先線（ｐ又はｑ）は、内径側から外径側に向って回転方向後方になる、滑らかに連続する曲線からなり、
前記刃先線の外径側端（Ａ）における前記刃先線接線（ａ）と回転方向接線（ｃ）とのなす角（β）が鈍角からなる、
刈払い機用回転刃にある。
【０００８】
請求項２に係る本発明は（例えば図１参照）、前記刃先線（ｐ）は、回転方向（ｒ）に対して凹状となる鎌形状の曲線からなる、
請求項１記載の刈払い機用回転刃にある。
【０００９】
請求項３に係る本発明は（例えば図３参照）、前記刃先線（ｑ）は、少なくともその外径側（３ｃ）が回転方向に対して凸状となる薙形状の曲線からなる、
請求項１記載の刈払い機用回転刃にある。
【００１０】
請求項４に係る本発明は（例えば図２参照）、前記刃部の刃先角（δ）が、８〜２３度の範囲である、
請求項１ないし３のいずれか記載の刈払い機用回転刃にある。
【００１１】
なお、上記カッコ内の符号は図面と対照するためのものであるが、これにより特許請求の範囲の内容に何等影響を及ぼすものではない。
【発明の効果】
【００１２】
請求項１に係る本発明によると、刃部の刃先線が曲線からなり、しかもその内径側から外形側に向って回転方向後方に傾斜しているので、刃先は、草木に対して単に直角に押し当てるものではなく、押し当てつつ草木を半径方向外側に摩り上げて、草木を鋭い切れ味で切断することができる。
【００１３】
更に、刃先に小石等が当っても、刃先線の直交方向が斜め外径方向に向いているので、小石等は該外径方向撥ね飛ばされ、作業者に向うことはなく、安全に作業することができる。
【００１４】
また、刃先の外径側端（先端ポイント）は回転方向接線に対して鈍角からなるので、草木による摩耗又は小石等による破損に対して耐久性のある形状からなり、上記鋭い切れ味を比較的長期に亘って維持することができる。
【００１５】
請求項２に係る本発明によると、刃先線は、回転方向に対して凹状の鎌形状からなるので、草木は、鎌で切断されるように引き切られて、柔軟なものであってもスパッと切断され、従って回転刃は、例えば従来の刈払い機の１／２の回転数のように低速回転で使用することが可能となり、切れ味を保持しつつ、更なる安全性及び耐久性を備えることができる。
【００１６】
請求項３に係る本発明によると、刃先線は、回転方向に対して凸状となる薙形状からなるので、草木は、該薙形状の刃先により薙ぎ倒されるように切断される。更に、凸形状となる刃先線は、先端ポイントにおいて、回転方向接線に対して更に大きな鈍角を形成し、特に破損に対して強い形状となり、小石の多い場所等に用いて優れた耐久性を備えることができる。
【００１７】
請求項４に係る本発明によると、刃部の刃先角が、８〜２３度の鋭利な形状からなるので、上記刃先曲線と相俟って、優れた切れ味を有することができると共に、上記刃先角の鈍角形状により、該鋭利な刃先形状によっても耐久性を維持することが可能となる。
【発明を実施するための最良の形態】
【００１８】
以下、図面に沿って本発明の実施の形態について説明する。図１は、第１の実施の形態を示す平面図であり、刈払い機用回転刃１１は、所定厚さｔ（１．４〜１．８ｍｍの範囲）例えば１．６［ｍｍ］のＳ４３Ｃ等の鋼板を所定形状に打ち抜いた本体２からなり、該回転刃本体２は等間隔で内径方向に切欠かれた凹みＮ及び該凹みの回転方向後側において外径方向に突出する所定数（例えば６個）の刃部３…を有している。刃部３は、本出願人が先に出願した特開２００３−２６６２３７号公報に示すように、特殊な高周波焼入れ、焼戻しを行って、高い硬度（ＨＶ０．２＞６００）と所定の靭性を有している。
【００１９】
各刃部３の刃先は、回転方向前方中心を有する所定半径Ｒ１（Ｒ３０〜３００の範囲）例えばＲ８０又はＲ２３０の円弧からなる外径側円弧面３ａと、同じく前方に中心を有しかつ小さな所定半径例えばＲ２０からなる内径側円弧面３ｂとからなり、全体で、回転方向ｒに対して凹状となる滑らかな曲線ｐからなる。外径側円弧面３ａの外径側端（先端ポイント）Ａにおける上記曲線ｂの接線ａは、該端Ａ及び中心Ｏを結ぶ半径線ｂに対して所定角度α（３°〜６０°の範囲）、例えば１５°になるように規定されている。従って、上記刃先線ｐの先端ポイントＡにおける刃先線接線ａと、本体２の回転方向接線ｃとのなす角βは鈍角（９１°〜１６０°の範囲）例えば１０５°からなる。
【００２０】
外径側円弧面３ａは、上記先端Ａから所定長さｅ（例えば２５ｍｍ）及び半径線ｂから前方に所定長さｍ（例えば８又は１０ｍｍ）延びており、内径側円弧面３ｂと滑らかに繋がり、該内径側円弧面３ｂは前記半径線ｂから所定長さｇ（例えば２４ｍｍ）回転方向前方に延び、全体で鎌形状の凹曲線刃ｐを形成している。
【００２１】
刃部３の外径側端Ａの回転方向後方本体外周面５は回転方向接線（円周線）ｃに対して所定逃げ角γ（３°〜１５°の範囲）例えば７°で内径方向に延びており、該本体外周面５は所定長さｈ（例えば３０ｍｍ）直線又は円弧Ｒ３（例えばＲ５０又はＲ２０）で延び、前記刃部３の内径側端Ｂと上記本体外周面後端Ｃとが直線で連結されている。
【００２２】
これにより、刃部３の刃先ｐは、回転方向凹状の鎌形状からなり、かつ該刃部の先端角β（外径側端Ａ）が鈍角からなる、直径Ｄ１（例えばφ２４２．０）の回転刃１１が構成される。なお、本回転刃１１は、１５００〜５０００［ｒｐｍ］の低・中速回転で使用することが好ましく、そのため従来の中・高速回転からなる刈払い機に取付けられないように、取付け用中心孔７の直径を従来のものと異ならしている（例えばφ２４．８）。
【００２３】
図２は、刃先形状を示す断面図であり、（ａ），（ｂ），（ｃ），（ｄ）に異なる実施の形態を示している。（ａ）は、上面２ａに軽く砥石を入れて研磨して傾斜面Ｆ（０〜２３°、例えば３°）を形成し、下面２ｂに２段の傾斜面Ｇ，Ｈを形成して所定の刃先角δ（２３°〜８°の範囲）例えば２２°，２０°，２８°に形成してある。なお、刃部３の焼入れ硬化層の幅ｉ（図１参照）は３〜１０ｍｍ程度であり、一面の傾斜面幅ｊは３．８ｍｍ、他面の傾斜面Ｇの幅ｋは３．９ｍｍ程度が好ましい。
【００２４】
図２（ｂ）は、両面２ａ，２ｂに２段の略々同形状からなる傾斜面Ｊ，Ｋを形成したものであり、該両刃からなる刃部３の刃先角δ（２３°〜８°の範囲）は例えば２０°からなる。図２（ｃ）は下面２ｂにのみ傾斜面Ｌを形成したものであり、図２（ｄ）は上面２ａのみに傾斜面Ｍを形成したものであり、共に刃先角δ（２３°〜８°の範囲）は例えば２０°からなる。即ち、靭性を有すると共に高い硬度を有する焼入れに基づき、刃先角δは、従来のものもに比して鋭角（鋭利）に形成されている。
【００２５】
本実施の形態は以上のような構成からなるので、刈払い機に装着された回転刃１１は、作業者による刈払い機の往復振り運動により、雑草等が各刃部３，３の間の凹みＮに導入され、かつ刈払い機による回転により雑草等が各刃部３に当接して切断される。この際、各刃部３は、鎌状の凹曲線刃ｐからなるため、雑草は、凹みＮの底面から外径側方向に向って摩り上がり、上述した比較的鋭利な刃先δと相俟って、あたかも鎌で引き切りするように雑草を刈ることができる。
【００２６】
従って、回転刃１１の回転数は、従来の刈払い機の略々半分（１５００〜５０００ｒｐｍ）でもよく、雑草等の柔軟なものでもスパッと刈ることができる。
【００２７】
更に、回転刃１１の刃部３は、その刃先線（凹曲線）ｐが内径側から外径側に向って回転方向後方に傾斜しているため、刃先線に直交する線は斜め外径方向に向くことになる。従って、刈払い機に装着した回転刃１１は、作業者側はカバーに覆われ、作業者から離れた側で露出して刈払い作業が行われるが、該回転刃１１の離れた側に小石等が当っても、上記小石は、上記刃先線ｐに直交する斜め外側に飛ぶので、作業者側に飛んでくることはない。従って、小石等の多い場所に本回転刃１１を使用しても、小石が作業者側に撥ね飛ぶことはなく、かつ回転刃が比較的低速で回転して小石の飛ぶ勢いも小さいことが相俟って、作業者は、安全に刈払い作業を行うことができる。
【００２８】
また、刃先の先端ポイントＡは、回転方向接線ｃに対して鈍角βからなるので、上記刃先ｐが凹曲線からなることと相俟って、雑木の切断に伴う摩耗に対して強い形状からなると共に、小石等に当ることによる破損に対しても強い形状となっており、上記優れた切れ味を長期に亘って維持し得る優れた耐久性を備えている。
【００２９】
図３は、他の実施の形態による回転刃１２を示す平面図である。該回転刃１２は、刃部３の刃先が曲線からなる点、かつ先端ポイントＡの回転方向接線ｃに対する角度βが鈍角からなる点、その他刃先の形状（図２参照）等は先の実施の形態と同様であるが、刃先線ｑが回転方向ｒに対して凸状からなる点で相違している。
【００３０】
刃部３の刃先線ｑは、該刃先線の回転方向後方に中心を有する所定半径Ｒ５（６０Ｒ〜２００Ｒの範囲）例えばＲ１２０の円弧からなる外径側円弧３ｃと、回転方向前方に中心を有する所定半径Ｒ２例えばＲ２０の内径側円弧３ｂとからなり、外径側及び内径側の両円弧３ｃ，３ｂが滑らかに接続して、全体で、薙刀形状の凸曲線を構成している。なお、他の回転刃本体２の形状、例えば板厚、外形寸法、中心孔７、外周部５、凹みＮ、刃部３の数等は、先の実施の形態と同じであるので、説明を省略する。
【００３１】
上記刃先線ｑの先端ポイント（外径側端）Ａにおける回転方向接線ｃに対する刃先線接線ａの角度βは、９５°〜１６０°の範囲例えば１３０°であり、一例として、上記外径側円弧の長さｅは２０ｍｍ、その回転方向長さｍは１５ｍｍ、刃先線全体の長さｆは３６ｍｍ、その回転方向長さｇは２６ｍｍからなる。
【００３２】
本実施の形態は以上のような構成からなるので、刈払い機に装着された回転刃１２は、作業者による刈払い機の往復振り運動により、草木等が各刃部３，３の間の凹みＮに導入され、かつ刈払い機による回転により雑草等が各刃部３に当接して切断される。この際、各刃部３は、薙状の凸曲線刃ｑからなるため、草木は、凹みＮの底面から外径側方向に向って摩り上がり、上述した比較的鋭利な刃先δと相俟って、あたかも薙で薙ぎ倒すように草木を刈ることができる。特に、本薙タイプの回転刃１２は、灌木等の腰のあるものを刈払う場合に用いて好適である。
【００３３】
更に、回転刃１２の刃部３は、その刃先線（凹曲線刃）ｑが内径側から外径側に向って回転方向後方に傾斜しているため、刃先線に直交する線は斜め外径方向に向くことになる。従って、該回転刃１２の離れた側に小石等が当っても、上記小石は、上記刃先線ｑに直交する斜め外側に飛ぶので、作業者側に飛んでくることはない。これにより、小石等の多い場所に本回転刃１２を使用しても、小石が作業者側に飛ぶことはなく、作業者は、安全に刈払い作業を行うことができる。
【００３４】
また、刃先ｑの先端ポイントＡは、回転方向接線ｃに対して鈍角βからなるので、上記刃先ｑが凸曲線からなることが相俟って、草、特に小石等に当ることによる破損に対しても強い形状となっており、小石の多い場所に用いても、上記優れた切れ味を長期に亘って維持し得る耐久性をも有している。
【００３５】
なお、本薙タイプの回転刃１２は、低速で回転すると、特に柔軟な草の場合、刃先の凸曲線ｑにより草を外径側に押し出す傾向があり、従って従来と同様な回転数（３０００ｒｐｍ〜１００００ｒｐｍ）で回転する刈払い機に装着することが好ましい。
【００３６】
また、刃部３の刃先曲線ｐ又はｑは、複数の円弧の組合せによるものを説明したが、これに限らず、楕円、放物線等の他の曲線でもよい。
【図面の簡単な説明】
【００３７】
【図１】本発明に係る鎌形状タイプの回転刃を示す平面図。
【図２】本発明に係る刃部を示す断面図であり、（ａ）（ｂ）（ｃ）（ｄ）はそれぞれ異なる実施の形態を示す。
【図３】本発明に係る薙形状タイプの回転刃を示す平面図。
【符号の説明】
【００３８】
１1 ，２2       回転刃
２              回転刃本体
３              刃部
３ａ，３ｂ，３ｃ      円弧
５              外周面
Ａ              刃先の外径側端（先端ポイント）
ａ              刃先線の接線
ｃ              回転方向接線
ｐ，ｑ          刃先線
β              両接線のなす角（鈍角）
δ              刃先角
【図１】
2005176746.tif 000003
【図２】
2005176746.tif 000004
【図３】
2005176746.tif 000005